(57)【特許請求の範囲】
【請求項１】
電話網とインターネットに接続され、インターネットを介して受信した電子メール文書をファクシミリ転送する機能を有するインターネットファクシミリ装置の制御方法において、
前記ファクシミリ転送用の電子メール文書の受信に際し、当該受信電子メールの宛先フィールドにファクシミリ通信機能を指示する制御コマンドに対応付けられたパスワードが暗号化されて設定されている場合、当該暗号化されているパスワードの復号化を行い、
該復号化されたパスワードを用いて当該制御コマンドに従った電子メール文書のファクシミリ転送を実行する
ことを特徴とするインターネットファクシミリ装置の制御方法。
【請求項２】
電話網とインターネットに接続され、インターネットを介して受信した電子メール文書をファクシミリ転送する機能を有するインターネットファクシミリ装置の制御方法において、
前記ファクシミリ転送用の電子メール文書の受信に際し、当該受信電子メールの本文中にファクシミリ通信機能を指示する制御コマンドに対応付けられたパスワードが暗号化されて設定されている場合、当該暗号化されているパスワードの復号化を行い、
該復号化されたパスワードを用いて当該制御コマンドに従った電子メール文書のファクシミリ転送を実行する
ことを特徴とするインターネットファクシミリ装置の制御方法。
【請求項３】
前記ファクシミリ通信機能を指示する制御コマンドに対応付けられたパスワードの暗号化には、
Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用されることを特徴とする請求項１または２記載のインターネットファクシミリ装置の制御方法。
【請求項４】
前記ファクシミリ通信機能を指示する制御コマンドは、
ＩＴＵ−Ｔ（国際電気通信連合電気通信標準化部門）勧告Ｔ．３０に規定される親展通信機能、掲示板通信機能、中継同報通信機能を指示するコマンドであることを特徴とする請求項１乃至３いずれか記載のインターネットファクシミリ装置の制御方法。
【請求項５】
電話網とインターネットに接続され、インターネットを介して受信した電子メール文書をファクシミリ転送する機能を有するインターネットファクシミリ装置において、
前記ファクシミリ転送用の電子メール文書を受信した場合、当該受信電子メールの宛先フィールドにファクシミリ通信機能を指示する制御コマンドに対応付けられたパスワードが暗号化されて設定されているか否かを判定する判定手段と、該判定手段により当該電子メールの宛先フィールドにファクシミリ通信機能を指示する制御コマンドに対応付けられたパスワードが暗号化されていると判定された場合、当該暗号化されているパスワードの復号化を行う復号化手段と、
該復号化されたパスワードを用いて当該制御コマンドに従った電子メール文書のファクシミリ転送を実行する通信制御手段と
を具備することを特徴とするインターネットファクシミリ装置。
【請求項６】
電話網とインターネットに接続され、インターネットを介して受信した電子メール文書をファクシミリ転送する機能を有するインターネットファクシミリ装置において、
前記ファクシミリ転送用の電子メール文書を受信した場合、当該受信電子メールの本文中にファクシミリ通信機能を指示する制御コマンドに対応付けられたパスワードが暗号化されて設定されているか否かを判定する判定手段と、
該判定手段により当該受信電子メールの本文中にファクシミリ通信機能を指示する制御コマンドに対応付けられたパスワードが暗号化されていると判定された場合、当該暗号化されているパスワードの復号化を行う復号化手段と、
該復号化されたパスワードを用いて当該制御コマンドに従った電子メール文書のファクシミリ転送を実行する通信制御手段と
を具備することを特徴とするインターネットファクシミリ装置。
【請求項７】
前記ファクシミリ通信機能を指示する制御コマンドに対応付けられたパスワードの暗号化には、
Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用されることを特徴とする請求項５または６記載のインターネットファクシミリ装置。
【請求項８】
前記ファクシミリ通信機能を指示する制御コマンドは、
ＩＴＵ−Ｔ（国際電気通信連合電気通信標準化部門）勧告Ｔ．３０に規定される親展通信機能、掲示板通信機能、中継同報通信機能を指示するコマンドであることを特徴とする請求項５乃至７いずれか記載のインターネットファクシミリ装置。
【請求項９】
インターネットを介してインターネットファクシミリ装置に電子メール文書のファクシミリ転送を指示する機能を有する通信指示端末装置において、
前記ファクシミリ転送用電子メール文書に付加するファクシミリ通信機能を指示する制御コマンドに対応付けたパスワードを、前記電子メール文書を暗号化する暗号化方式により暗号化する暗号化手段と、
該暗号化手段により暗号化されたパスワードを当該電子メールの宛先フィールドに設定してから当該電子メール文書を送出する送出手段と
を具備することを特徴とする通信指示端末装置。
【請求項１０】
インターネットを介してインターネットファクシミリ装置に電子メール文書のファクシミリ転送を指示する機能を有する通信指示端末装置において、
前記ファクシミリ転送用電子メール文書に付加するファクシミリ通信機能を指示する制御コマンドに対応付けたパスワードを、前記電子メール文書を暗号化する暗号化方式により暗号化する暗号化手段と、
該暗号化手段により暗号化されたパスワードを当該電子メールの本文中に設定してから当該電子メール文書を送出する送出手段と
を具備することを特徴とする通信指示端末装置。
【請求項１１】
前記暗号化手段は、
Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式を用いて前記パスワードを暗号化することを特徴とする請求項９または１０記載の通信指示端末装置。
【請求項１２】
前記ファクシミリ通信機能を指示する制御コマンドは、
ＩＴＵ−Ｔ（国際電気通信連合電気通信標準化部門）勧告Ｔ．３０に規定される親展通信機能、掲示板通信機能、中継同報通信機能を指示するコマンドであることを特徴とする請求項９乃至１１いずれか記載の通信指示端末装置。
【発明の詳細な説明】
【０００１】
【発明の属する技術分野】
本発明は、インターネットファクシミリ装置およびその制御方法、並びに通信指示端末装置に関し、特に、ファクシミリ通信機能を指示する制御コマンド（以下、単に「Ｆコード」という。）に対応付けられるパスワード（以下、単に、「Ｐコード」という。）を用いたファクシミリ転送通信を安全確実に実施可能なインターネットファクシミリ装置およびその制御方法、並びに通信指示端末装置に関する。
【０００２】
【従来の技術】
近年、インターネットの急速な拡大により、通信コストの低減という観点からインターネットファクシミリＦＡＸ装置なるものが現われてきている。
【０００３】
この種のインターネットＦＡＸ装置の機能においては、Ｅｍａｉｌ  ｔｏ  ＦＡＸ  Ｇａｔｅｗａｙ機能、すなわち、インターネットから受信した文書をＦＡＸにて転送する機能が存在する。
【０００４】
そして、このＥｍａｉｌ  ｔｏ  ＦＡＸ  Ｇａｔｅｗａｙ機能は、主に、ＦＡＸ通信で行うものを、通信コストの低減を目的に、中継路（長距離を想定）の部分にインターネットを利用して通信コストの低減を図るものである。勿論、インターネットＦＡＸ機能がない相手端末に対して、通信を行なう場合にも有効な機能である。
【０００５】
ところで、従来、上記Ｅｍａｉｌ  ｔｏ  ＦＡＸ  Ｇａｔｅｗａｙ機能を搭載するインターネットＦＡＸ装置においては、Ｇａｔｅｗａｙの指定方法において、例えば、Ｅｍａｉｌ（ＳＭＴＰ）の宛先（Ｔｏ：フィールド）フィールドに、ＦＡＸ＝＋８１４８７９０５１１１＠ｆｕｊｉｘｅｒｏｘ．ｃｏ．ｊｐという転送先の電話番号を設定している。
【０００６】
また、この時、ファクシミリ通信におけるＦコード（制御コマンド）機能を使用する場合には、ＦＡＸ＝＋８１４８７９０５１１１／Ｔ３３Ｓ＝ＸＸＸＸ＠ｆｕｊｉｘｅｒｏｘ．ｃｏ．ｊｐというように設定（指定）している。
【０００７】
しかしながら、この従来のＦコード機能の指定方式では、上記Ｆコード機能用のＰコード（パスワード）を送出することができないでいる。
【０００８】
ところが、単順に、上記Ｆコードと同様に、Ｐコードを送出したのでは、インターネット上で第三者に覗き見られる虞があるので、Ｆコードと同様の手段では提供できない。
【０００９】
すなわち、従来の技術では、上記Ｆコード機能用のＰコードを設定できないでいるため、ＦＡＸ転送先マシンのメールボックスにアクセスできない。
【００１０】
【発明が解決しようとする課題】
上述の如く、従来の、Ｅｍａｉｌ  ｔｏ  ＦＡＸ  Ｇａｔｅｗａｙ機能を有するインターネットファクシミリ装置におけるＦコード機能の指定方式にあっては、Ｆコード機能用のＰコード（パスワード）を安全に送出する仕組みがなく、このため、ＦＡＸの転送先のマシンのメールボックスにアクセスできないという不都合がある。
【００１１】
そこで、本発明では、上記不都合を解消し、ファクシミリ通信機能を指示する制御コマンド（Ｆコード）に対応付けられるパスワード（Ｐコード）を用いたファクシミリ転送通信を安全確実に実施可能なインターネットファクシミリ装置およびその制御方法、並びに通信指示端末装置を提供することを目的とする。
【００１２】
【課題を解決するための手段】
上記目的を達成するために、請求項１の発明は、
電話網とインターネットに接続され、インターネットを介して受信した電子メール文書をファクシミリ転送する機能を有するインターネットファクシミリ装置の制御方法において、前記ファクシミリ転送用の電子メール文書の受信に際し、当該受信電子メールの宛先フィールドにファクシミリ通信機能を指示する制御コマンドに対応付けられたパスワードが暗号化されて設定されている場合、当該暗号化されているパスワードの復号化を行い、該復号化されたパスワードに従って当該電子メール文書のファクシミリ転送を実行することを特徴とする。
【００１３】
また、請求項２の発明は、
電話網とインターネットに接続され、インターネットを介して受信した電子メール文書をファクシミリ転送する機能を有するインターネットファクシミリ装置の制御方法において、前記ファクシミリ転送用の電子メール文書の受信に際し、当該受信電子メールの本文中にファクシミリ通信機能を指示する制御コマンドに対応付けられたパスワードが暗号化されて設定されている場合、当該暗号化されているパスワードの復号化を行い、該復号化されたパスワードに従って当該電子メール文書のファクシミリ転送を実行することを特徴とする。
【００１４】
また、請求項３の発明は、請求項１または２の発明において、
前記ファクシミリ通信機能を指示する制御コマンドに対応付けられたパスワードの暗号化には、Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用されることを特徴とする。
【００１５】
また、請求項４の発明は、請求項１乃至３いずれかの発明において、
前記ファクシミリ通信機能を指示する制御コマンドは、ＩＴＵ−Ｔ（国際電気通信連合電気通信標準化部門）勧告Ｔ．３０に規定される親展通信機能、掲示板通信機能、中継同報通信機能を指示するコマンドであることを特徴とする。
【００１６】
また、請求項５の発明は、
電話網とインターネットに接続され、インターネットを介して受信した電子メール文書をファクシミリ転送する機能を有するインターネットファクシミリ装置において、前記ファクシミリ転送用の電子メール文書を受信した場合、当該受信電子メールの宛先フィールドにファクシミリ通信機能を指示する制御コマンドに対応付けられたパスワードが暗号化されて設定されているか否かを判定する判定手段と、該判定手段により当該電子メールの宛先フィールドにファクシミリ通信機能を指示する制御コマンドに対応付けられたパスワードが暗号化されていると判定された場合、当該暗号化されているパスワードの復号化を行う復号化手段と、該復号化されたパスワードに従って当該電子メール文書のファクシミリ転送を実行する通信制御手段とを具備することを特徴とする。
【００１７】
また、請求項６の発明は、
電話網とインターネットに接続され、インターネットを介して受信した電子メール文書をファクシミリ転送する機能を有するインターネットファクシミリ装置において、前記ファクシミリ転送用の電子メール文書を受信した場合、当該受信電子メールの本文中にファクシミリ通信機能を指示する制御コマンドに対応付けられたパスワードが暗号化されて設定されているか否かを判定する判定手段と、該判定手段により当該受信電子メールの本文中にファクシミリ通信機能を指示する制御コマンドに対応付けられたパスワードが暗号化されていると判定された場合、当該暗号化されているパスワードの復号化を行う復号化手段と、該復号化されたパスワードに従って当該電子メール文書のファクシミリ転送を実行する通信制御手段とを具備することを特徴とする。
【００１８】
また、請求項７の発明は、請求項５または６の発明において、
前記ファクシミリ通信機能を指示する制御コマンドに対応付けられたパスワードの暗号化には、Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式が採用されることを特徴とする。
【００１９】
また、請求項８の発明は、請求項５乃至７いずれかの発明において、
前記ファクシミリ通信機能を指示する制御コマンドは、ＩＴＵ−Ｔ（国際電気通信連合電気通信標準化部門）勧告Ｔ．３０に規定される親展通信機能、掲示板通信機能、中継同報通信機能を指示するコマンドであることを特徴とする。
【００２０】
また、請求項９の発明は、
インターネットを介してインターネットファクシミリ装置に電子メール文書のファクシミリ転送を指示する機能を有する通信指示端末装置において、前記ファクシミリ転送用電子メール文書に付加するファクシミリ通信機能を指示する制御コマンドに対応付けたパスワードを、前記電子メール文書を暗号化する暗号化方式により暗号化する暗号化手段と、該暗号化手段により暗号化されたパスワードを当該電子メールの宛先フィールドに設定してから当該電子メール文書を送出する送出手段とを具備することを特徴とする。
【００２１】
また、請求項１０の発明は、
インターネットを介してインターネットファクシミリ装置に電子メール文書のファクシミリ転送を指示する機能を有する通信指示端末装置において、前記ファクシミリ転送用電子メール文書に付加するファクシミリ通信機能を指示する制御コマンドに対応付けたパスワードを、前記電子メール文書を暗号化する暗号化方式により暗号化する暗号化手段と、該暗号化手段により暗号化されたパスワードを当該電子メールの本文中に設定してから当該電子メール文書を送出する送出手段とを具備することを特徴とする。
【００２２】
また、請求項１１の発明は、請求項９または１０の発明において、
前記暗号化手段は、Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式を用いて前記パスワードを暗号化することを特徴とする。
【００２３】
また、請求項１２の発明は、請求項９乃至１１いずれかの発明において、
前記ファクシミリ通信機能を指示する制御コマンドは、ＩＴＵ−Ｔ（国際電気通信連合電気通信標準化部門）勧告Ｔ．３０に規定される親展通信機能、掲示板通信機能、中継同報通信機能を指示するコマンドであることを特徴とする。
【発明の実施の形態】
以下、本発明に係る実施の形態について添付図面を参照にして説明する。
【００２４】
図１は、本発明のインターネットファクシミリ（以下、単に「インターネットＦＡＸ」という。）装置１が適用されるネットワークの一構成例を示す概念図である。
【００２５】
図１に示すように、このネットワーク概念図においては、インターネットＦＡＸ装置１は、公衆交換網（ＰＳＴＮ）２を介してＧ３機等のファクシミリ装置（以下、単に「ＦＡＸ」という。）３ａ、３ｂと接続されるとともに、公衆交換網（ＰＳＴＮ）４を介し、インターネットサービスプロバイダ（ＩＳＰ）５、インターネット６を介してネットワークＡのルータ７１を介して他のインターネットＦＡＸ７５と、パーソナルコンピュータ（以下、単に「ＰＣ」という。）７３および７４（特許請求の範囲における「通信指示端末装置」に相当する。）と接続されてている。
【００２６】
ここで、インターネットＦＡＸ装置とは、従来、電話回線上で送受信していたＦＡＸデータをインターネットおよびイントラネットなどのＩＰネットワークを一部または全ての伝送路に利用して送受信したり、或いはＩＰネットワーク上でＦＡＸを送受信することが可能な機器である。
【００２７】
図２は、上記図１に示した本発明のインターネットＦＡＸ装置１のシステム構成を示す図である。
【００２８】
図２に示すように、このインターネットＦＡＸ装置１は、ＣＰＵ１０１、ＲＡＭ１０２、操作表示部１０３、読取部１０４、印字部１０５、画像処理部１０６、画像蓄積部１０７、システム制御部１０８、通信制御部１０９、ネットワーク制御部１１０、網制御部１１１、回線切換え制御部１１５がシステムバス１４を介して接続され、さらにファクシミリからの受信のためのモデム１１２とイーサネット（Ｅｔｈｅｒｎｅｔ）Ｉ／Ｆ１１３を具備している。
【００２９】
ここで、ＣＰＵ１０１は、インターネットＦＡＸ装置１全体の制御処理を行う。また、ＲＡＭ１０２は、インターネットＦＡＸ装置１の制御に用いる記憶装置である。また、操作表示部１０３は、インターネットＦＡＸ装置１を操作するものである。また、読取部１０４は、送信原稿を読み取るものである。また、画図処理部１０６は、符号化、復号化、拡大、縮小等の処理を行う部分である。また、画像蓄積部１０７は、画情報を格納する部分である。また、システム制御部１０８は、インターネットＦＡＸ装置全体を制御するプログラムであり、例えば、ＲＯＭ等から成る。また、通信制御部１０９は、電話網に適した通信を制御するためのものである。また、ネットワーク制御部１１０は、ネットワークに接続する通信を制御するためのものである。また、網制御部１１１は、網へ接続するためのものである。また、モデム１１２は、変復調装置であり、低速モードと高速モードを機能を備えている。また、ＥｔｈｅｒｎｅｔＩ／Ｆ１１３は、Ｅｔｈｅｒｎｅｔに接続するためのインターフェースである。また、システムバス１１４は、相互にデータのやり取りをするためのバスである。また、回線切換え制御部１１５は、複数の外部回線インタフェースと複数の内部通信回路を接続するためのものである。
【００３０】
そして、上記構成要素のＣＰＵ１０１〜網制御部１１１は、システムバス１１４を介して相互にデータの送受を行う。
【００３１】
また、通常のScan to E-mail送信の際には、操作表示部１０３より蓄積及び送信のパラメータが指示され、その指示に基づいて読取部１０４から画情報が読み込まれる。読み込まれた画情報は、画像蓄積部１０７に蓄積された後、システム制御部１０８の制御の元で、ＲＡＭ１０２をバッファとして用いて、画像処理部１０６を必要に応じて使いつつ処理を行い、画像蓄積部１０７の中の画像を送信に適した形式に変換し、最終的に、モデム１１２、網制御部１１１及び通信制御部１０９を介して電話網にファクシミリとして送出するか、又はネットワーク制御部１１０からイーサネットＩ／Ｆ１１３を経由してＥメール送信を行う。
【００３２】
図３は、上記図２に示したインターネットＦＡＸ装置１のファクシミリ（ＦＡＸ）転送制御の処理手順を示すフローチャートであり、この場合、ファクシミリ通信機能を指示する制御コマンド（以下、単に「Ｆコード」という。）に対応付けられたパスワード（以下、「Ｐコード」という。）が受信電子メールの宛先フィールドに設定されている場合のＦＡＸ転送制御の処理手順を示している。
【００３３】
図３に示すように、この処理は、インターネットＦＡＸ装置１において、ＦＡＸ転送用の電子メール文書が受信された場合（ステップＳ１０１）に開始される。
【００３４】
次いで、インターネットＦＡＸ装置１では、該受信電子メールの宛先フィールドにＦコード用のパスワード（Ｐコード）が暗号化されて設定されているか否かが判定される（ステップＳ１０２）。
【００３５】
そして、この判定の結果、該受信電子メールの宛先フィールドにＦコード用のパスワード（Ｐコード）が暗号化されて設定されていると判定された場合（ステップＳ１０２ＹＥＳ）、その暗号化されているパスワード（Ｐコード）の復号化が行われる（ステップＳ１０３）。
【００３６】
その後、復号化されたパスワード（Ｐコード）を用いて当該Ｆコードに従ったＦＡＸ転送が実行され（ステップＳ１０４）、その後、この処理が終了する。
【００３７】
なお、上記ステップＳ１０２の判定の結果、該受信電子メールの宛先フィールドにＦコード用のパスワード（Ｐコード）が暗号化されて設定されていないと判定された場合（ステップＳ１０２ＮＯ）、インターネットＦＡＸ装置１では、通常のＦＡＸ転送処理が行われる。
【００３８】
図４は、上記図３に示すＦＡＸ転送制御の他の実施の形態の処理手順を示すフローチャートであり、この場合、Ｆコード用のパスワード（Ｐコード）が受信電子メールの本文中に設定されている場合のＦＡＸ転送制御の処理手順を示している。
【００３９】
図４に示すように、この処理は、インターネットＦＡＸ装置１において、ＦＡＸ転送用の電子メール文書が受信された場合（ステップＳ２０１）に開始される。
【００４０】
次いで、インターネットＦＡＸ装置１では、該受信電子メールの本文中にＦコード用のパスワード（Ｐコード）が暗号化されて設定されているか否かが判定される（ステップＳ２０２）。
【００４１】
そして、この判定の結果、該受信電子メールの本文中にＦコード用のパスワード（Ｐコード）が暗号化されて設定されていると判定された場合（ステップＳ２０２ＹＥＳ）、その暗号化されているパスワード（Ｐコード）の復号化が行われる（ステップＳ２０３）。
【００４２】
その後、復号化されたパスワード（Ｐコード）を用いて当該Ｆコードに従ったＦＡＸ転送が実行され（ステップＳ２０４）、その後、この処理が終了する。
【００４３】
なお、上記ステップＳ２０２の判定の結果、該受信電子メールの本文中にＦコード用のパスワード（Ｐコード）が暗号化されて設定されていないと判定された場合（ステップＳ２０２ＮＯ）、インターネットＦＡＸ装置１では、通常のＦＡＸ転送処理が行われる。
【００４４】
これらの構成によると、インターネットＦＡＸ装置において、ファクシミリ転送用の電子メール文書の受信に際し、当該受信電子メールの宛先フィールド若しくは当該受信メールの本文中にファクシミリ通信機能を指示する制御コマンドに対応付けられたパスワードが暗号化されて設定されている場合、当該暗号化されているパスワードの復号化を行い、該復号化されたパスワードを用いて当該制御コマンドに従った電子メール文書のファクシミリ転送を実行するようにしたため、ファクシミリ通信機能を指示する制御コマンド（Ｆコード）に対応付けられるパスワード（Ｐコード）を用いたファクシミリ転送通信を安全確実に実施することが可能となる。
【００４５】
図５は、上記図１に示した通信指示端末装置（例えば、上記図１に示したＰＣ７３）のＦＡＸ転送用メール文書の送信制御の処理手順を示すフローチャートであり、この場合、暗号化したパスワード（Ｐコード）を当該送信メールの宛先フィールドに設定して送信する場合のＦＡＸ転送用メール文書の送信制御の処理手順を示している。
【００４６】
図５に示すように、この処理は、通信指示端末装置において、送信者によりＦＡＸ転送用メール文書の送信指示が行われた場合（ステップＳ３０１）に開始される。
【００４７】
次いで、通信指示端末装置では、該ＦＡＸ転送用メールにＦコード用のパスワード（Ｐコード）の指定が行われているか否かが判定される（ステップＳ３０２）。
【００４８】
そして、この判定の結果、ＦＡＸ転送用メールにＦコード用のパスワード（Ｐコード）の指定が行われていると判定された場合（ステップＳ３０２ＹＥＳ）、インターネットＦＡＸ装置１では、該パスワード（Ｐコード）の暗号化処理が行われる（ステップＳ３０３）。
【００４９】
この暗号化処理が完了した後、上記暗号化されたパスワード（Ｐコード）の当該メールの宛先フィールドへの設定が行われ（ステップＳ３０４）、その後、当該メールの送信処理が行われ（ステップＳ３０５）、この処理を終了する。
【００５０】
なお、上記ステップＳ３０２の判定の結果、ＦＡＸ転送用メールにＦコード用のパスワード（Ｐコード）の指定が行われていると判定された場合（ステップＳ３０２ＮＯ）、インターネットＦＡＸ装置１では、通常のＦＡＸ転送用メールの送信処理が行われる。
【００５１】
図６は、上記図５に示すＦＡＸ転送用メール文書の送信制御の他の実施の形態の処理手順を示すフローチャートであり、この場合、暗号化したパスワード（Ｐコード）を当該送信メールの本文中に設定する場合のＦＡＸ転送用メール文書の送信制御の処理手順を示している。
【００５２】
図６に示すように、この処理は、通信指示端末装置において、送信者によりＦＡＸ転送用メール文書の送信指示が行われた場合（ステップＳ４０１）に開始される。
【００５３】
次いで、通信指示端末装置では、該ＦＡＸ転送用メールにＦコード用のパスワード（Ｐコード）の指定が行われているか否かが判定される（ステップＳ４０２）。
【００５４】
そして、この判定の結果、ＦＡＸ転送用メールにＦコード用のパスワード（Ｐコード）の指定が行われていると判定された場合（ステップＳ４０２ＹＥＳ）、インターネットＦＡＸ装置１では、該パスワード（Ｐコード）の暗号化処理が行われる（ステップＳ４０３）。
【００５５】
この暗号化処理が完了した後、上記暗号化されたパスワード（Ｐコード）の当該メールの本文中への設定が行われ（ステップＳ４０４）、その後、当該メールの送信処理が行われ（ステップＳ４０５）、この処理を終了する。
【００５６】
なお、上記ステップＳ４０２の判定の結果、ＦＡＸ転送用メールにＦコード用のパスワード（Ｐコード）の指定が行われていると判定された場合（ステップＳ４０２ＮＯ）、インターネットＦＡＸ装置１では、通常のＦＡＸ転送用メールの送信処理が行われる。
【００５７】
これらの構成によると、送信サイドでは予め決められたエリア（メールヘッダの宛先フィールド若しくはメール本文中）に暗号化したＰコードをセットしてメール送出を行える。そして、これにより、ファクシミリ転送を中継するインターネットＦＡＸ装置では、ファクシミリ通信機能を指示するＦコードに対応付けられるＰコードを用いたファクシミリ転送通信を安全確実に実施することが可能となる。
【００５８】
図７は、本発明の実施の形態に使用されるメールデータの一構成例を示す図であり、特に、この場合、ファクシミリ転送を中継するインターネットＦＡＸ装置に対してファクシミリ転送指示を行うＦコードに対応付けられたＰコードが挿入される様子を示している。
【００５９】
図７に示すように、本発明でのＦＡＸ転送制御の指示を行うＦコードに対応付けられたＰコードは、メールヘッダ部分の宛先フィールド（ＴＯ：フィールド）▲１▼若しくはメールの本文中▲２▼のいずれかに挿入される。
【００６０】
このように、本発明では、暗号化されたＰコードは、上記のように、ＴＯ：フィールドに設定するばかりでなく、別のエリアでも構わない。すなわち、本発明では、メール本文中（内容部分）にセットする場合も考案している。
【００６１】
なお、これらを実施する場合、事前に、通信の送受信の両サイドで、Ｐコードをセットするエリア（すなわち、メールヘッダの宛先フィールド若しくはメール本文中）を決めておけば、送信サイドではその事前に決めておいたエリアに暗号化したＰコードをセットすることで、メールを受け取った受信サイドはその決められたエリアから取り出して利用することができる。
【００６２】
図８は、上記図７に示したメールヘッダ部分の宛先フィールドに、ファクシミリ（ＦＡＸ）転送制御の指示を行うＦコード用のＰコードが設定される様子を示す図である。
【００６３】
図８に示すように、この例では、ＦＡＸ転送用メールのヘッダ部分の宛先フィールドＡに「ＴＯ：ＦＡＸ＝０４８７９０５１１１／Ｔ３３Ｓ＝１２３４／Ｔ３３Ｐ＝４Ｂ１６＠ｆｕｊｉｘｅｒｏｘ．ｃｏ．ｊｐ」が設定されている様子を示している。
【００６４】
これは、ｆｕｊｉｘｅｒｏｘ．ｃｏ．ｊｐというドメイン名の下にある、ｉｆａｘというホスト名のマシンを使用し、０４８−７９８−５１１１のＦＡＸに転送する、ということを意味している。また、この場合、Ｔ３３Ｓ＝以降の記載が、Ｆコード（１２３４）を意味し、更に、この場合、Ｔ３３Ｐ＝以降の記載が、Ｆコード用のＰコードを意味している。
【００６５】
そして、本発明では、インターネット上の通信において、第三者に丸見えにならないように、Ｐコードを事前に暗号化してセットしている。
【００６６】
すなわち、この例では、Ｔ３３Ｐ＝以降の「４Ｂ１６」という記載が、暗号化されたＰコードとなっている。なお、暗号鍵は、公開鍵でなく、秘密鍵であっても良く、本発明では、Ｓ／ＭＩＭＥ（Secure/Multipurpose Internet Mail Extension）またはＰＧＰ／ＭＩＭＥ（Pretty Good Privacy/Multipurpose Internet Mail Extension）の暗号化方式を用いて上記Ｐコードを暗号化する。
【００６７】
この構成によると、従来、Ｐコードが送信できなかったため、ＦＡＸ転送先にメールボックスがあり、それにアクセスしようと思っても不可能であったものが、本発明により可能となる。勿論、メールボックスだけでなく、Ｆコード通信に関連する、中継転送や掲示板といった機能も可能となる。
【００６８】
また、上記実施例で述べたファクシミリ通信機能を指示する制御コマンド（Ｆコード）は、ＩＴＵ−Ｔ（国際電気通信連合電気通信標準化部門）勧告Ｔ．３０に規定される親展通信機能、掲示板通信機能、中継同報通信機能を指示するコマンドである。
【００６９】
【発明の効果】
以上説明したように、本発明によれば、インターネットファクシミリ装置において、ファクシミリ転送用の電子メール文書の受信に際し、当該受信電子メールの宛先フィールド若しくは当該受信メールの本文中にファクシミリ通信機能を指示する制御コマンドに対応付けられたパスワードが暗号化されて設定されている場合、当該暗号化されているパスワードの復号化を行い、該復号化されたパスワードを用いて当該制御コマンドに従った電子メール文書のファクシミリ転送を実行するようにしたため、ファクシミリ通信機能を指示する制御コマンド（Ｆコード）に対応付けられるパスワード（Ｐコード）を用いたファクシミリ転送通信を安全確実に実施することが可能となる。
【００７０】
また、本発明によれば、インターネットを介してインターネットファクシミリ装置に電子メール文書のファクシミリ転送を指示する機能を有する通信指示端末装置において、ファクシミリ転送用電子メール文書に付加するファクシミリ通信機能を指示する制御コマンドに対応付けたパスワードを、前記電子メール文書を暗号化する暗号化方式により暗号化し、該暗号化手段により暗号化されたパスワードを当該電子メールの宛先フィールド若しくは当該電子メールの本文中に設定してから当該電子メール文書を送出するようにしたため、ファクシミリ転送用電子メール文書の送信側では予め決められたエリア（メールヘッダの宛先フィールド若しくはメール本文中）に暗号化したＰコードをセットしてメール送出が行え、これにより、ファクシミリ転送を中継するインターネットファクシミリ装置では、ファクシミリ通信機能を指示するＦコードに対応付けられるＰコードを用いたファクシミリ転送通信を安全確実に実施することが可能となる。
【図面の簡単な説明】
【図１】本発明のインターネットＦＡＸ装置が適用されるネットワークの一構成例を示す概念図。
【図２】図１に示した本発明のインターネットＦＡＸ装置のシステム構成を示す図。
【図３】図２に示したインターネットＦＡＸ装置のＦＡＸ転送制御の処理手順を示すフローチャート。
【図４】図３に示すＦＡＸ転送制御の他の実施の形態の処理手順を示すフローチャート。
【図５】図１に示した通信指示端末装置（例えば、上記図１に示したＰＣ）のＦＡＸ転送用メール文書の送信制御の処理手順を示すフローチャート。
【図６】図５に示すＦＡＸ転送用メール文書の送信制御の他の実施の形態の処理手順を示すフローチャート。
【図７】本発明の実施の形態に使用されるメールデータの一構成例を示す図。
【図８】図７に示したメールヘッダ部分の宛先フィールドにファクシミリ（ＦＡＸ）転送制御の指示を行うＦコード用のＰコードが設定される様子を示す図。
【符号の説明】
１…インターネットＦＡＸ装置、２…公衆交換網（ＰＳＴＮ）、３ａ…ＦＡＸ（Ｇ３機）、３ｂ…ＦＡＸ（Ｇ３機）、４…公衆交換網（ＰＳＴＮ）、５…インターネットサービスプロバイダ（ＩＳＰ）、６…インターネット、Ａ…ネットワーク、７１…ルータ、７２…メールサーバ、７３…パーソナルコンピュータ（ＰＣ）、７４…パーソナルコンピュータ（ＰＣ）、７５…インターネットＦＡＸ、１０１…ＣＰＵ、１０２…ＲＡＭ、１０３…操作表示部、１０４…読取部、１０５…印字部、１０６…画像処理部、１０７…画像蓄積部、１０８…システム制御部、１０９…通信制御部、１１０…ネットワーク制御部、１１１…網制御部、１１２…モデム、１１３…Ｅｔｈｅｒｎｅｔ  Ｉ／Ｆ、１１４…システムバス、１１５…回線切換え制御部
【図１】
0003775218.tif 000002
【図２】
0003775218.tif 000003
【図３】
0003775218.tif 000004
【図４】
0003775218.tif 000005
【図５】
0003775218.tif 000006
【図６】
0003775218.tif 000007
【図７】
0003775218.tif 000008
【図８】
0003775218.tif 000009